(57)【要約】【課題】  特定エリア内の携帯通信端末間に限定したメッセージ配信を行う。【解決手段】  メッセージ配信システム１００が、複数の携帯通信端末１０と、携帯通信端末１０からのメッセージを、他の携帯通信端末１０へ配信するメッセージ配信サーバ２０とを備え、メッセージ配信サーバ２０が、各携帯通信端末１０について、他の携帯通信端末１０からのメッセージの配信を希望するか否かを示す配信可否情報に基づき、メッセージを配信する配信手段２５を備える。【選択図】  図１
2012205271.tif 000002
【特許請求の範囲】
【請求項１】
複数の携帯通信端末と、
前記携帯通信端末からのメッセージを、他の前記携帯通信端末へ配信するメッセージ配信サーバとを備え、
前記メッセージ配信サーバが、
各前記携帯通信端末について、他の前記携帯通信端末からのメッセージの配信を希望するか否かを示す配信可否情報に基づき、前記メッセージを配信する配信手段
を備えることを特徴とするメッセージ配信システム。
【請求項２】
前記配信可否情報を管理する配信可否情報管理テーブルと、前記配信可否情報管理テーブルを参照し、他の前記携帯通信端末からのメッセージの配信を希望する前記携帯通信端末の情報を配信先情報として前記メッセージ配信サーバに提供する配信先情報提供手段と、を含む配信可否情報管理サーバを備え、
前記メッセージ配信サーバが、
前記携帯通信端末からメッセージを受信した場合に、他の前記携帯通信端末についてのメッセージの配信可否を前記配信可否情報管理サーバに問合せ、前記配信先情報を取得する配信先情報取得手段を含み、
前記配信手段が、
前記配信先情報に基づいて前記メッセージを配信する
ことを特徴とする請求項１に記載のメッセージ配信システム。
【請求項３】
前記メッセージ配信サーバが、
各前記携帯通信端末の所定の情報を端末情報として管理する端末情報管理テーブルと、前記携帯通信端末からのメッセージを受信した場合に、他の前記端末情報を前記端末情報管理テーブルから抽出する端末情報抽出手段とを含み、
前記配信先情報取得手段が、
抽出された前記端末情報に係る前記携帯通信端末について、メッセージの配信の可否を前記配信可否情報管理サーバに問合せる
ことを特徴とする請求項２に記載のメッセージ配信システム。
【請求項４】
前記端末情報が、前記携帯通信端末が在圏するエリアの情報を含み、
前記端末情報抽出手段が、
メッセージを送信した前記携帯通信端末と同一エリアに在圏する他の前記端末情報を前記端末情報管理テーブルから抽出する
ことを特徴とする請求項３に記載のメッセージ配信システム。
【請求項５】
前記メッセージ配信サーバが、
前記携帯通信端末から受信した前記配信可否情報を前記配信可否情報管理サーバへ通知する配信可否情報通知手段を備え、
前記配信可否情報管理サーバが、
前記メッセージ配信サーバから受信した前記配信可否情報を前記配信可否情報管理テーブルに登録する配信可否情報登録手段を備える
ことを特徴とする請求項２から請求項４の何れか１項に記載のメッセージ配信システム。
【請求項６】
携帯通信端末からのメッセージを、他の携帯通信端末へ配信するメッセージ配信サーバであって、
前記携帯通信端末について、他の前記携帯通信端末からのメッセージの配信を希望するか否かを示す配信可否情報に基づき、前記メッセージを配信する配信手段
を備えることを特徴とするメッセージ配信サーバ。
【請求項７】
前記携帯通信端末からメッセージを受信した場合に、他の前記携帯通信端末についてのメッセージの配信可否を、他の前記携帯通信端末からのメッセージの配信を希望する前記携帯通信端末の情報を配信先情報として前記メッセージ配信サーバに提供する配信可否情報管理サーバに問合せ、前記配信先情報を取得する配信先情報取得手段を含み、
前記配信手段が、
前記配信先情報に基づいて前記メッセージを配信する
ことを特徴とする請求項６に記載のメッセージ配信サーバ。
【請求項８】
各前記携帯通信端末の所定の情報を端末情報として管理する端末情報管理テーブルと、前記携帯通信端末からのメッセージを受信した場合に、他の前記端末情報を前記端末情報管理テーブルから抽出する端末情報抽出手段とを含み、
前記配信先情報取得手段が、
抽出された前記端末情報に係る前記携帯通信端末について、メッセージの配信の可否を前記配信可否情報管理サーバに問合せる
ことを特徴とする請求項７に記載のメッセージ配信サーバ。
【請求項９】
携帯通信端末からのメッセージを、他の携帯通信端末へ配信するメッセージ配信サーバのメッセージ配信方法であって、
前記携帯通信端末について、他の前記携帯通信端末からのメッセージの配信を希望するか否かを示す配信可否情報に基づき、前記メッセージを配信するステップを有することを特徴とするメッセージ配信方法。
【請求項１０】
携帯通信端末からのメッセージを、他の携帯通信端末へ配信するメッセージ配信サーバ上で動作するメッセージ配信プログラムであって、
前記メッセージ配信サーバに、
前記携帯通信端末について、他の前記携帯通信端末からのメッセージの配信を希望するか否かを示す配信可否情報に基づき、前記メッセージを配信する処理を、実行させることを特徴とするメッセージ配信プログラム。
【発明の詳細な説明】
【技術分野】
【０００１】
本発明は、メッセージ配信システムに関し、特に、特定エリア内の携帯通信端末間に限定したメッセージ配信を行う技術に関する。
【背景技術】
【０００２】
携帯電話等の携帯可能な通信端末（以下、携帯通信端末と称す）では、メール・メッセージの配信をするためには配信先のメールアドレスや電話番号を把握する必要がある。そのため、メーリングリストや広告メール等の複数相手へのメール配信を行う場合は、受信希望者があらかじめメールアドレス、電話番号等を配信者に通知する必要がある。
【０００３】
ここで、関連技術として、特定エリア内の携帯通信端末に限定した広告情報等を配信するシステムが、特許文献１及び特許文献２に開示されている。
【０００４】
特許文献１では、配信側にて配信先地域を特定する情報を管理するための装置を準備する必要があり、主に広告業者等を対象としたシステムとなっている。
【０００５】
特許文献２では、基地局に登録された携帯通信端末の位置登録を同期して、広告情報の通知を行うことで、該基地局がカバーするエリアの携帯通信端末に対して広告情報を通知することを可能としている。
【先行技術文献】
【特許文献】
【０００６】
【特許文献１】特開２００２−２１６０２１号公報
【特許文献２】特開２００２−３５４５４３号公報
【発明の概要】
【発明が解決しようとする課題】
【０００７】
背景技術による携帯通信端末間のメール・メッセージ送信手段では、メールアドレスや電話番号等によって送信先を指定する必要があり、送信先情報が不明な携帯通信端末への送信は不可能である。そのため、携帯通信端末から他の携帯通信端末へ１対多のメッセージ配信を行う場合、送信先情報の入手が必須であり、送信先情報が不明な携帯通信端末への送信はできないという課題があった。
【０００８】
また、特許文献１に記載の技術では、配信側にて配信先地域を特定する情報を管理するための装置を準備する必要があるという課題があった。
【０００９】
また、特許文献２に記載の技術では、配信する広告情報を記憶する装置を準備する必要があるという課題があった。
【００１０】
（発明の目的）
本発明の目的は、上述の課題を解決し、特定エリア内の携帯通信端末間に限定したメッセージ配信を行うメッセージ配信システム、メッセージ配信サーバ、メッセージ配信方法、及びメッセージ配信プログラムを提供することである。
【課題を解決するための手段】
【００１１】
本発明の第１のメッセージ配信システムは、複数の携帯通信端末と、携帯通信端末からのメッセージを、他の携帯通信端末へ配信するメッセージ配信サーバとを備え、メッセージ配信サーバが、各携帯通信端末について、他の携帯通信端末からのメッセージの配信を希望するか否かを示す配信可否情報に基づき、メッセージを配信する配信手段を備える。
【００１２】
本発明の第１のメッセージ配信サーバは、携帯通信端末からのメッセージを、他の携帯通信端末へ配信するメッセージ配信サーバであって、携帯通信端末について、他の携帯通信端末からのメッセージの配信を希望するか否かを示す配信可否情報に基づき、メッセージを配信する配信手段を備える。
【００１３】
本発明の第１のメッセージ配信方法は、携帯通信端末からのメッセージを、他の携帯通信端末へ配信するメッセージ配信サーバのメッセージ配信方法であって、携帯通信端末について、他の携帯通信端末からのメッセージの配信を希望するか否かを示す配信可否情報に基づき、メッセージを配信するステップを有する。
【００１４】
本発明の第１のメッセージ配信プログラムは、携帯通信端末からのメッセージを、他の携帯通信端末へ配信するメッセージ配信サーバ上で動作するメッセージ配信プログラムであって、メッセージ配信サーバに、携帯通信端末について、他の携帯通信端末からのメッセージの配信を希望するか否かを示す配信可否情報に基づき、メッセージを配信する処理を、実行させる。
【発明の効果】
【００１５】
本発明によれば、特定エリア内の携帯通信端末間に限定したメッセージ配信を行うことができる。
【図面の簡単な説明】
【００１６】
【図１】本発明の第１の実施の形態によるメッセージ配信システムの構成を示すブロック図である。
【図２】第１の実施の形態によるメッセージ配信サーバの構成を示すブロック図である。
【図３】第１の実施の形態による配信可否情報管理サーバの構成を示すブロック図である。
【図４】第１の実施の形態による携帯通信端末の構成を示すブロック図である。
【図５】第１の実施の形態による配信可否情報の登録の動作を示すシーケンス図である。
【図６】第１の実施の形態による配信可否情報の登録の動作を示すシーケンス図である。
【図７】第１の実施の形態によるメッセージ配信の登録の動作を示すシーケンス図である。
【図８】本発明のメッセージ配信サーバのハードウェア構成例を示すブロック図である。
【図９】本発明のメッセージ配信システムの最小限の構成を示すブロック図である。
【発明を実施するための形態】
【００１７】
本発明は、携帯通信端末による、特定エリア内にいる他の複数の携帯通信端末を対象とした１対多のメッセージ配信を可能とする。
【００１８】
このため、本発明は、エリア内に在圏する携帯通信端末を特定する情報を管理するサーバ、及び在圏する携帯通信端末への配信メッセージの配信可否を管理するサーバを設置する。メッセージ配信時、配信側携帯通信端末が在圏する基地局にて、指定エリアに在圏する携帯通信端末の端末情報、及び配信可否の情報を参照し、受信可とする携帯通信端末に対してメッセージを配信する。
【００１９】
本発明の上記及び他の目的、特徴及び利点を明確にすべく、添付した図面を参照しながら、本発明の実施形態を以下に詳述する。なお、上述の本願発明の目的のほか、他の技術的課題、その技術的課題を解決する手段及びその作用効果についても、以下の実施形態による開示によって明らかとなるものである。
【００２０】
なお、すべての図面において、同様な構成要素には同様の符号を付し、適宜説明を省略する。
【００２１】
（第１の実施の形態）
図１は、本発明の第１の実施の形態によるメッセージ配信システム１００の構成を示すブロック図である。
【００２２】
図１を参照すると、メッセージ配信システム１００は、携帯通信端末装置１０（１０ａ、１０ｂ、１０ｃ、１０ｄ）と、メッセージ配信サーバ２０と、配信可否情報管理サーバ３０と、から構成される。
【００２３】
ここで、メッセージ配信サーバ２０の構成を示すブロック図を図２に示す。
【００２４】
メッセージ配信サーバ２０は、端末情報管理テーブル２１と、送受信手段２２と、端末情報抽出手段２３と、配信先情報取得手段２４と、配信手段２５と、配信可否情報通知手段２６と、を備える。
【００２５】
端末情報管理テーブル２１は、自装置の担当エリア内にある携帯通信端末１０の情報を管理する。
【００２６】
送受信手段２２は、任意の携帯通信端末１０からのメッセージを受信し、端末情報抽出手段２３へ渡す。
【００２７】
また、送受信手段２２は、携帯通信端末１０から、他の携帯通信端末１０からのメッセージが配信されることを希望するか否かの情報（以下、配信可否情報と称す）を受信し、端末情報抽出手段２３へ渡す。
【００２８】
また、送受信手段２２は、配信可否情報の登録結果を、配信可否情報通知手段２６から受け取り、携帯通信端末１０へ送信する。
【００２９】
端末情報抽出手段２３は、任意の携帯通信端末１０からのメッセージを送受信手段２２から受け取り、該メッセージを送信した携帯通信端末１０以外の携帯通信端末１０の情報を、端末情報管理テーブル２１から抽出し、配信先情報取得手段２４へ渡す。
【００３０】
例えば、携帯通信端末１０ａからメッセージを受信した場合、端末情報抽出手段２３は、携帯通信端末１０ｂ、１０ｃ、１０ｄの情報を端末情報管理テーブル２１から抽出する。
【００３１】
また、端末情報抽出手段２３は、送受信手段２２が、携帯通信端末１０から配信可否情報を受け取ると、該携帯通信端末１０の端末情報を端末情報管理テーブル２１から抽出し、該配信可否情報及び端末情報を配信可否情報通知手段２６へ渡す。
【００３２】
配信先情報取得手段２４は、端末情報抽出手段２３で抽出された該携帯通信端末１０がメッセージが配信されることを希望しているか否かを、配信可否情報管理サーバ３０へ問い合わせることで、メッセージを配信する携帯通信端末１０の情報（以下、配信先情報と称す）を取得する。
【００３３】
配信手段２５は、配信先情報に基づき、メッセージを所定の携帯通信端末１０へ配信する。
【００３４】
配信可否情報通知手段２６は、端末情報抽出手段２３から受け取った配信可否情報及び端末情報を、配信可否情報管理サーバ３０に通知する。
【００３５】
また、配信可否情報通知手段２６は、配信可否情報の登録結果を配信可否情報管理サーバ３０から受け取り、送受信手段２２を介して携帯通信端末１０へ送信する。
【００３６】
ここで、配信可否情報管理サーバ３０の構成を示すブロック図を図３に示す。
【００３７】
配信可否情報管理サーバ３０は、配信可否情報管理テーブル３１と、配信先情報提供手段３２と、配信可否情報登録手段３３と、を備える。
【００３８】
配信可否情報管理テーブル３１は、配信可否情報を管理する。
【００３９】
配信先情報提供手段３２は、メッセージ配信サーバ２０からの問い合わせに対し、メッセージが配信されることを希望する携帯通信端末１０の情報を提供する。
【００４０】
配信可否情報登録手段３３は、メッセージ配信サーバ２０から、所定の携帯通信端末１０についての配信可否情報を受け取り、該情報を配信可否情報管理テーブル３１へ登録する。
【００４１】
なお、本実施の形態では、メッセージ配信サーバ２０と配信可否情報管理サーバ３０を別構成としたが、配信可否情報管理サーバ３０の機能をメッセージ配信サーバ２０が備える構成としても良い。
【００４２】
ここで、携帯通信端末１０の構成を示すブロック図を図４に示す。
【００４３】
携帯通信端末１０は、メッセージ配信サーバ２０とデータのやりとりを行う送受信手段１１を備える。
【００４４】
送受信手段１１は、利用者がメッセージを配信したい場合に該利用者によって入力されたメッセージをメッセージ配信サーバ２０へ送信する。
【００４５】
また、送受信手段１１は、利用者の操作により、配信可否情報をメッセージ配信サーバ２０へ通知し、その登録結果をメッセージ配信サーバ２０から受信する。
【００４６】
（第１の実施の形態の動作の説明）
次に、本実施の形態によるメッセージ配信システム１００の動作について、図面を参照して詳細に説明する。
【００４７】
なお、前提として、携帯通信端末装置１０ａ、１０ｂ、１０ｃ、１０ｄは、すべてメッセージ配信サーバ２０の担当エリア内にある。
【００４８】
また、各携帯通信端末１０の利用者は、メッセージが配信されることを希望するか否かを、あらかじめ配信可否情報管理サーバ３０に登録しているものとする。該登録情報は配信可否情報管理テーブル３１で管理される。
【００４９】
図５は、携帯通信端末１０の利用者が、メッセージが配信されることを希望する場合に、配信可否情報管理サーバ３０にその旨を登録する動作を示すシーケンス図である。
【００５０】
以下、携帯通信端末１０ｂの利用者が、メッセージが配信されることを希望する場合を例として説明する。
【００５１】
携帯通信端末１０ｂの利用者がメッセージが配信されること希望する場合、まず、該利用者の操作により、送受信手段１１が、メッセージが配信されることを希望する旨の配信可否情報をメッセージ配信サーバ２０へ通知する（ステップＳ５０１）。
【００５２】
メッセージ配信サーバ２０は、送受信手段２２が該配信可否情報を受け取ると、端末情報抽出手段が該配信情報に係る携帯通信端末１０ｂの端末情報を端末情報管理テーブル２１から取得し、配信可否情報通知手段２６が、該配信可否情報及び端末情報を配信可否情報管理サーバ３０へ通知する（ステップＳ５０２）。
【００５３】
ステップＳ５０２では、携帯通信端末１０ｂの端末情報と、メッセージが配信されることを希望する旨の配信可否情報が、配信可否情報管理サーバ３０へ通知される。
【００５４】
次いで、配信可否情報管理サーバ３０は、配信可否情報登録手段３３が、該配信可否情報及び端末情報を受け取り、配信可否情報管理テーブル３１へ登録し、登録願完了したことを登録結果としてメッセージ配信サーバ２０へ通知する（ステップＳ５０３）。
【００５５】
次いで、メッセージ配信サーバ２０は、配信可否情報通知手段が該登録結果を受け取り、送受信手段２２を介して携帯通信端末１０ｂへ送信する（ステップＳ５０４）。
【００５６】
図６は、携帯通信端末１０の利用者がメッセージが配信されることを希望しない場合に、配信可否情報管理サーバ３０にその旨を登録する動作を示すシーケンス図である。該動作は、配信可否情報の中身が異なる以外は図５と同様であるため、詳細な説明は省略する。
【００５７】
図７は、携帯通信端末１０ａがメッセージを送信した場合の、他の携帯通信端末１０へのメッセージ配信の動作を示すシーケンス図である。
【００５８】
図７では、前提条件として、携帯通信端末１０ａ、１０ｂ、１０ｃ、１０ｄが同一エリアに在圏するものとする。また、配信可否情報管理テーブル３１には、携帯通信端末１０ｂ及び１０ｄが配信を希望する旨、携帯通信端末１０ｃが配信を希望しない旨が登録されているものとする。
【００５９】
まず、携帯通信端末１０ａの利用者がメッセージを入力して所定の操作を行うと、送受信手段１１が、該メッセージをメッセージ配信サーバ２０へ送信する（ステップＳ７０１）。
【００６０】
メッセージ配信サーバ２０は、送受信手段２２が該メッセージを受け取り、端末情報が抽出手段２３が携帯通信端末１０ａと同一エリアに在圏する携帯通信端末１０の端末情報を取得し、配信先情報取得手段２４が、該端末情報を配信可否情報管理サーバ３０へ通知する（ステップＳ７０２）。
【００６１】
ステップＳ７０２では、携帯通信端末１０ｂ〜１０ｄの端末情報が通知される。
【００６２】
配信可否情報管理サーバ３０は、配信先情報提供手段３２が該端末情報を受け取り、該端末情報に含まれる各携帯通信端末１０について、メッセージ配信の可否を配信可否情報管理テーブル３１を参照して確認し、配信が可能な携帯通信端末１０の情報を配信先情報としてメッセージ配信サーバ２０へ通知する（ステップＳ７０３）。
【００６３】
なお、配信可否情報管理サーバ３０で、受信した端末情報に含まれる全ての携帯通信端末１０についての配信可否の情報を通知することとしても良い。この場合、該情報を元に配信手段２５が配信先を特定することで、同様の動作を行うことができる。
【００６４】
次いで、メッセージ配信サーバ２０は、配信手段２５が、該配信先情報に基づき、携帯通信端末１０ｂ、１０ｄに、メッセージを配信する（ステップＳ７０４、Ｓ７０５）。
【００６５】
（第１の実施の形態による効果）
【００６６】
本実施の形態によれば、メッセージ配信サーバ２０へメッセージを送信することにより、該メッセージが他の携帯通信端末１０へ配信されるため、メッセージを配信したい利用者は、他の携帯通信端末１０のメールアドレスや電話番号等の送信先情報が不明な複数の相手に対して、メッセージを配信することができる。
【００６７】
また、本実施の形態によれば、メッセージ配信対象を同一エリアに限定することで、配信先の地域を限定して送信することができる。
【００６８】
また、本実施の形態によれば、メッセージ配信対象が限定されることで、該当エリアに関連性の高い情報を効率的に配信することができる。
【００６９】
なお、本実施の形態では、メッセージ配信サーバ２０の担当エリア全てを、同一エリアとして説明を行ったが、メッセージ配信サーバ２０が複数のエリアを担当し、本発明を実施することも可能である。
【００７０】
この場合、端末情報管理テーブル２１に各携帯通信端末１０のエリア識別情報を登録することで、メッセージを送信した携帯通信端末１０と同一エリアの携帯通信端末１０を、端末情報抽出手段２３が抽出することで、同一エリアの他の携帯通信端末１０へメッセージ配信を行うことができる。
【００７１】
なお、本発明の課題を解決できる最小限の構成を図９に示す。メッセージ配信システム１００が、複数の携帯通信端末１０と、携帯通信端末１０からのメッセージを、他の携帯通信端末１０へ配信するメッセージ配信サーバ２０とを備え、メッセージ配信サーバ２０が、各携帯通信端末１０について、他の携帯通信端末１０からのメッセージの配信を希望するか否かを示す配信可否情報に基づき、メッセージを配信する配信手段２５を備えることで、上述した本発明の課題を解決することができる。
【００７２】
次に、本発明のメッセージ配信サーバ２０のハードウェア構成例について、図８を参照して説明する。図８は、メッセージ配信サーバ２０のハードウェア構成例を示すブロック図である。
【００７３】
図８を参照すると、メッセージ配信サーバ２０は、一般的なコンピュータ装置と同様のハードウェア構成であり、ＣＰＵ（Ｃｅｎｔｒａｌ  Ｐｒｏｃｅｓｓｉｎｇ  Ｕｎｉｔ）８０１、ＲＡＭ（Ｒａｎｄｏｍ  Ａｃｃｅｓｓ  Ｍｅｍｏｒｙ）等のメモリからなる、データの作業領域やデータの一時退避領域に用いられる主記憶部８０２、ネットワークを介してデータの送受信を行う通信部８０３、入力装置８０５や出力装置８０６及び記憶装置８０７と接続してデータの送受信を行う入出力インタフェース部８０４、上記各構成要素を相互に接続するシステムバス８０８を備えている。記憶装置８０７は、例えば、ＲＯＭ（Ｒｅａｄ  Ｏｎｌｙ  Ｍｅｍｏｒｙ）、磁気ディスク、半導体メモリ等の不揮発性メモリから構成されるハードディスク装置等で実現される。
【００７４】
本発明のメッセージ配信サーバ２０の各機能は、プログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、その機能を提供するプログラムを、記憶装置８０７に格納し、そのプログラムを主記憶部８０２にロードしてＣＰＵ８０１で実行することにより、ソフトウェア的に実現することも可能である。
【００７５】
また、本発明の配信可否情報管理サーバ３０も、上記のようなハードウェア構成を有し、配信可否情報管理サーバ３０が有する各機能をハードウェア的又はソフトウェア的に実現する。
【００７６】
以上、好ましい実施の形態をあげて本発明を説明したが、本発明は必ずしも、上記実施の形態に限定されるものでなく、その技術的思想の範囲内において様々に変形して実施することができる。
【００７７】
なお、以上の構成要素の任意の組み合せ、本発明の表現を方法、装置、システム、記録媒体、コンピュータプログラムなどの間で変換したものもまた、本発明の態様として有効である。
【００７８】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００７９】
また、本発明の方法およびコンピュータプログラムには複数の手順を順番に記載してあるが、その記載の順番は複数の手順を実行する順番を限定するものではない。このため、本発明の方法およびコンピュータプログラムを実施する時には、その複数の手順の順番は内容的に支障しない範囲で変更することができる。
【００８０】
また、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【００８１】
さらに、上記実施形態の一部又は全部は、以下の付記のようにも記載されうるが、これに限定されない。
【００８２】
（付記１）
複数の携帯通信端末と、
前記携帯通信端末からのメッセージを、他の前記携帯通信端末へ配信するメッセージ配信サーバとを備え、
前記メッセージ配信サーバが、
各前記携帯通信端末について、他の前記携帯通信端末からのメッセージの配信を希望するか否かを示す配信可否情報に基づき、前記メッセージを配信する配信手段
を備えることを特徴とするメッセージ配信システム。
【００８３】
（付記２）
前記配信可否情報を管理する配信可否情報管理テーブルと、前記配信可否情報管理テーブルを参照し、他の前記携帯通信端末からのメッセージの配信を希望する前記携帯通信端末の情報を配信先情報として前記メッセージ配信サーバに提供する配信先情報提供手段と、を含む配信可否情報管理サーバを備え、
前記メッセージ配信サーバが、
前記携帯通信端末からメッセージを受信した場合に、他の前記携帯通信端末についてのメッセージの配信可否を前記配信可否情報管理サーバに問合せ、前記配信先情報を取得する配信先情報取得手段を含み、
前記配信手段が、
前記配信先情報に基づいて前記メッセージを配信する
ことを特徴とする付記１に記載のメッセージ配信システム。
【００８４】
（付記３）
前記メッセージ配信サーバが、
各前記携帯通信端末の所定の情報を端末情報として管理する端末情報管理テーブルと、前記携帯通信端末からのメッセージを受信した場合に、他の前記端末情報を前記端末情報管理テーブルから抽出する端末情報抽出手段とを含み、
前記配信先情報取得手段が、
抽出された前記端末情報に係る前記携帯通信端末について、メッセージの配信の可否を前記配信可否情報管理サーバに問合せる
ことを特徴とする付記２に記載のメッセージ配信システム。
【００８５】
（付記４）
前記端末情報が、前記携帯通信端末が在圏するエリアの情報を含み、
前記端末情報抽出手段が、
メッセージを送信した前記携帯通信端末と同一エリアに在圏する他の前記端末情報を前記端末情報管理テーブルから抽出する
ことを特徴とする付記３に記載のメッセージ配信システム。
【００８６】
（付記５）
前記メッセージ配信サーバが、
前記携帯通信端末から受信した前記配信可否情報を前記配信可否情報管理サーバへ通知する配信可否情報通知手段を備え、
前記配信可否情報管理サーバが、
前記メッセージ配信サーバから受信した前記配信可否情報を前記配信可否情報管理テーブルに登録する配信可否情報登録手段を備える
ことを特徴とする付記２から付記４の何れか１項に記載のメッセージ配信システム。
【００８７】
（付記６）
携帯通信端末からのメッセージを、他の携帯通信端末へ配信するメッセージ配信サーバであって、
前記携帯通信端末について、他の前記携帯通信端末からのメッセージの配信を希望するか否かを示す配信可否情報に基づき、前記メッセージを配信する配信手段
を備えることを特徴とするメッセージ配信サーバ。
【００８８】
（付記７）
前記携帯通信端末からメッセージを受信した場合に、他の前記携帯通信端末についてのメッセージの配信可否を、他の前記携帯通信端末からのメッセージの配信を希望する前記携帯通信端末の情報を配信先情報として前記メッセージ配信サーバに提供する配信可否情報管理サーバに問合せ、前記配信先情報を取得する配信先情報取得手段を含み、
前記配信手段が、
前記配信先情報に基づいて前記メッセージを配信する
ことを特徴とする付記６に記載のメッセージ配信サーバ。
【００８９】
（付記８）
各前記携帯通信端末の所定の情報を端末情報として管理する端末情報管理テーブルと、前記携帯通信端末からのメッセージを受信した場合に、他の前記端末情報を前記端末情報管理テーブルから抽出する端末情報抽出手段とを含み、
前記配信先情報取得手段が、
抽出された前記端末情報に係る前記携帯通信端末について、メッセージの配信の可否を前記配信可否情報管理サーバに問合せる
ことを特徴とする付記７に記載のメッセージ配信サーバ。
【００９０】
（付記９）
前記端末情報が、前記携帯通信端末が在圏するエリアの情報を含み、
前記端末情報抽出手段が、
メッセージを送信した前記携帯通信端末と同一エリアに在圏する他の前記端末情報を前記端末情報管理テーブルから抽出する
ことを特徴とする付記８に記載のメッセージ配信サーバ。
【００９１】
（付記１０）
前記携帯通信端末から受信した前記配信可否情報を前記配信可否情報管理サーバへ通知する配信可否情報通知手段を備えることを特徴とする付記７から付記９の何れか１項に記載のメッセージ配信サーバ。
【００９２】
（付記１１）
携帯通信端末からのメッセージを、他の携帯通信端末へ配信するメッセージ配信サーバのメッセージ配信方法であって、
前記携帯通信端末について、他の前記携帯通信端末からのメッセージの配信を希望するか否かを示す配信可否情報に基づき、前記メッセージを配信するステップを有することを特徴とするメッセージ配信方法。
【００９３】
（付記１２）
前記携帯通信端末からメッセージを受信した場合に、他の前記携帯通信端末についてのメッセージの配信可否を、他の前記携帯通信端末からのメッセージの配信を希望する前記携帯通信端末の情報を配信先情報として前記メッセージ配信サーバに提供する配信可否情報管理サーバに問合せ、前記配信先情報を取得し、
前記配信先情報に基づいて前記メッセージを配信する
ことを特徴とする付記１１に記載のメッセージ配信方法。
【００９４】
（付記１３）
前記携帯通信端末からのメッセージを受信した場合に、他の前記端末情報を、各前記携帯通信端末の所定の情報を端末情報として管理する端末情報管理テーブルから抽出し、
抽出された前記端末情報に係る前記携帯通信端末について、メッセージの配信の可否を前記配信可否情報管理サーバに問合せる
ことを特徴とする付記１２に記載のメッセージ配信方法。
【００９５】
（付記１４）
前記端末情報が、前記携帯通信端末が在圏するエリアの情報を含み、
メッセージを送信した前記携帯通信端末と同一エリアに在圏する他の前記端末情報を前記端末情報管理テーブルから抽出する
ことを特徴とする付記１３に記載のメッセージ配信方法。
【００９６】
（付記１５）
前記携帯通信端末から受信した前記配信可否情報を前記配信可否情報管理サーバへ通知するステップを含むことを特徴とする付記１２から付記１４の何れか１項に記載のメッセージ配信方法。
【００９７】
（付記１６）
携帯通信端末からのメッセージを、他の携帯通信端末へ配信するメッセージ配信サーバ上で動作するメッセージ配信プログラムであって、
前記メッセージ配信サーバに、
前記携帯通信端末について、他の前記携帯通信端末からのメッセージの配信を希望するか否かを示す配信可否情報に基づき、前記メッセージを配信する処理を、実行させることを特徴とするメッセージ配信プログラム。
【００９８】
（付記１７）
前記メッセージ配信サーバに、
前記携帯通信端末からメッセージを受信した場合に、他の前記携帯通信端末についてのメッセージの配信可否を、他の前記携帯通信端末からのメッセージの配信を希望する前記携帯通信端末の情報を配信先情報として前記メッセージ配信サーバに提供する配信可否情報管理サーバに問合せ、前記配信先情報を取得する処理と、
前記配信先情報に基づいて前記メッセージを配信する処理とを、実行させることを特徴とする付記１６に記載のメッセージ配信プログラム。
【００９９】
（付記１８）
前記メッセージ配信サーバに、
前記携帯通信端末からのメッセージを受信した場合に、他の前記端末情報を、各前記携帯通信端末の所定の情報を端末情報として管理する端末情報管理テーブルから抽出する処理と、
抽出された前記端末情報に係る前記携帯通信端末について、メッセージの配信の可否を前記配信可否情報管理サーバに問合せる処理とを、実行させることを特徴とする付記１７に記載のメッセージ配信プログラム。
【０１００】
（付記１９）
前記端末情報が、前記携帯通信端末が在圏するエリアの情報を含み、
前記メッセージ配信サーバに、
メッセージを送信した前記携帯通信端末と同一エリアに在圏する他の前記端末情報を前記端末情報管理テーブルから抽出する処理を、実行させることを特徴とする付記１８に記載のメッセージ配信プログラム。
【０１０１】
（付記２０）
前記携帯通信端末から受信した前記配信可否情報を前記配信可否情報管理サーバへ通知する処理を含むことを特徴とする付記１７から付記１９の何れか１項に記載のメッセージ配信プログラム。
【符号の説明】
【０１０２】
１００：メッセージ配信システム
１０（１０ａ〜１０ｄ）携帯通信端末
１１：送受信手段
２０：メッセージ配信サーバ
２１：端末情報管理テーブル
２２：送受信手段
２３：端末情報抽出手段
２４：配信先情報取得手段
２５：配信手段
２６：配信可否情報通知手段
３０：配信可否管理サーバ
３１：配信可否情報管理テーブル
３２：配信先情報提供手段
３３：配信可否情報登録手段
８０１：ＣＰＵ
８０２：主記憶部
８０３：通信部
８０４：入出力インタフェース部
８０５：入力装置
８０６：出力装置
８０７：記憶装置
８０８：システムバス
【図１】
2012205271.tif 000003
【図２】
2012205271.tif 000004
【図３】
2012205271.tif 000005
【図４】
2012205271.tif 000006
【図５】
2012205271.tif 000007
【図６】
2012205271.tif 000008
【図７】
2012205271.tif 000009
【図８】
2012205271.tif 000010
【図９】
2012205271.tif 000011